(57)【特許請求の範囲】
【請求項１】
表示装置用筐体を備えたモニターユニットと、前記モニターユニットを載置し、上面が開口された制御装置用筐体を備えた制御ユニットとを有した表示装置であって、
前記モニターユニットを前記制御ユニットに対して前後方向にスライド自在に支持するスライド手段と、
前記モニターユニットを前方にスライドさせた所定位置で該モニターユニットの後端部が回動中心となるように、該モニターユニットを回動自在に支持する回動手段と
を有し、
前記制御ユニットの制御装置用筐体には、少なくとも制御装置と電源装置とが前後方向に配置して収容されており、これら制御装置と電源装置との間に前記所定位置が設定されていることを特徴とする表示装置。
【請求項２】
前記スライド手段および回動手段は、
前記表示装置用筐体の後端部に設けられ、係合突設部を有した係合部材と、
前記係合部材の下方位置における前記制御装置用筐体に設けられており、前記制御装置用筐体の後面側から水平方向に形成されたスライド部と、前記所定位置で前記係合突設部が落ち込んで回動自在に係合するように凹形状に形成された回動支持部とを有したスライド支持部材と、
前記係合突設部が当接するように前記係合部材の上方位置における前記制御装置用筐体に設けられたスライド当接部材と
を有したスライド回動手段により構成されていることを特徴とする請求項１記載の表示装置。
【請求項３】
前記スライド当接部材の後端部は、前記係合部材の係合突設部を下方向に押さえつけるように形成されていることを特徴とする請求項２記載の表示装置。
【請求項４】
前記表示装置は、さらに、
前記モニターユニットの後端部を回動中心として前面側を上昇させた倒立姿勢を保持する倒立姿勢保持手段を有しており、
前記倒立姿勢保持手段は、
前記制御装置用筐体の幅方向の一端側に回動自在に軸支され、前記倒立姿勢にされたときに、立設状態に回動させることにより前記モニターユニットの表示装置用筐体を支持するモニター支持部材と、
前記表示装置用筐体に設けられており、前記モニター支持部材を係止すると共に一方の側面に当接する係止部材と、前記モニター支持部材の他方の側面に当接するように回動自在に付勢された当接板とを備えたロック機構と
を有することを特徴とする請求項１ないし３の何れか１項に記載の表示装置。
【請求項５】
前記ロック機構は、
前記制御ユニットの上面全体にモニターユニットが載置されたモニター姿勢となったときに、横設状態に回動された前記モニター支持部材を前記当接板で押圧することにより固定することを特徴とする請求項４記載の表示装置。
【発明の詳細な説明】
【０００１】
【発明の属する技術分野】
本発明は、船舶等の室内に設置され、使用される表示装置に関するものである。
【０００２】
【従来の技術】
近年における船舶は、通常、周辺の状況を把握して安全に航行できるようにレーダー装置を備えており、さらに、漁船やレジャーボートにおいては、効率良く魚を捕獲できるように魚群探知装置を備えている。これらの装置は、船外に設置された送受信器により電波信号や超音波信号を送受信し、得られたデータを操舵室等の船室内に設置された表示装置においてデータ処理して画面表示すると共に、画面表示を目視したオペレータの指示により走査範囲等を変更可能にされている。
【０００３】
上記の表示装置は、オペレータが容易に目視できるように大きな画面表示であることが望まれている一方、狭い室内に各種の計器類と共に設置されることが多いため、船室内を有効利用できるように小型であることが望まれている。従って、従来の表示装置は、図８（ａ）・（ｂ）に示すように、大きなモニター５１を備えると共に、このモニター５１の側面側や下面側に電源装置およびデータ処理装置（プリント基板）を配置し、これら周囲を筐体５２で覆った一体的な構成にされている。
【０００４】
【発明が解決しようとする課題】
しかしながら、上記従来のように、モニター５１と共に電源装置およびデータ処理装置を筐体５２内に一体的に組み込んだ構成では、電源装置やデータ処理装置を点検したり修理する場合に、筐体５２を取り外してから作業に取り掛かる必要があるため、点検や修理時の作業性が低いという問題がある。
【０００５】
さらに、表示装置の前面側から作業を行う場合には、作業対象となる電源装置等が表示装置の前面側から見たときにモニター５１で隠れた状態になっているため、モニター５１を取り外すことも必要になり、作業性の低下が一層顕著になる。
【０００６】
そこで、通常は、表示装置の側方に作業スペースを確保し、表示装置の側面側から作業を行うことによって、モニター５１の取り外しを不要にする対策が採られているが、この場合には、作業スペースにより狭い船室内を十分に有効利用できないという問題が発生する。
【０００７】
尚、このような問題は、船室内に限らず、建屋や車両、航空機等の室内に表示装置を設置する場合にも生じるものである。
【０００８】
従って、本発明は、電源装置等の点検や修理を高い作業性でもって行うことができると共に、作業スペースの確保を不要にして室内の十分な有効利用を可能にする表示装置を提供するものである。
【０００９】
【課題を解決するための手段】
上記課題を解決するために、請求項１の発明は、表示装置用筐体を備えたモニターユニットと、前記モニターユニットを載置し、上面が開口された制御装置用筐体を備えた制御ユニットとを有した表示装置であって、前記モニターユニットを前記制御ユニットに対して前後方向にスライド自在に支持するスライド手段と、前記モニターユニットを前方にスライドさせた所定位置で該モニターユニットの後端部が回動中心となるように、該モニターユニットを回動自在に支持する回動手段とを有し、前記制御ユニットの制御装置用筐体には、少なくとも制御装置と電源装置とが前後方向に配置して収容されており、これら制御装置と電源装置との間に前記所定位置が設定されていることを特徴としている。
【００１０】
上記の構成によれば、モニターユニットを制御ユニットに対して所定位置まで前方にスライドさせたスライド姿勢にすることによって、制御装置用筐体の上面に形成された開口の後半部分を外部に露出することができる。従って、スライド姿勢にした場合には、制御装置用筐体の後半部分に対応する後半領域に収容された各種機器を開口を介して点検等することができる。また、上記のスライド姿勢からモニターユニットの前面側を上昇させるように回動させて倒立姿勢にすると、制御装置用筐体の開口の前半部分を外部に露出させることができる。従って、倒立姿勢にした場合には、制御装置用筐体の前半部分に対応する前半領域に収容された各種機器を開口を介して点検および修理等することができる。これにより、従来のように制御装置用筐体を取り外す作業を行わなくても、表示装置用筐体をスライドおよび回動させれば、制御装置用筐体に収容された各種機器を開口を介して取り扱うことができると共に、モニター画面を見ながら点検等することができるため、良好な作業性でもって点検等を行うことができる。
【００１１】
また、上記のスライド姿勢や倒立姿勢は、制御装置用筐体の前方側の領域で表示装置用筐体をスライドおよび回動させることにより行うことができる。そして、制御装置用筐体に収容された各種機器に対する点検等は、表示装置の前方側や斜め前方側から行うことができる。従って、各姿勢に変化させたり点検等を行う際に、従来のように表示装置の側方や後方に作業スペースを確保しておく必要がないため、室内の限られた空間を十分に有効利用することができる。また、モニターユニットの表示装置用筐体を所定位置までスライドさせて回動させれば、スライド後に所定位置から後半領域に収容された制御装置または電源装置を完全に外部に露出させることができると共に、回動後に所定位置から前半領域に収容された制御装置または電源装置を完全に外部に露出させることができるため、制御装置および電源装置の取り換えを容易に行うことができる。
【００１２】
請求項２の発明は、請求項１記載の表示装置であって、前記スライド手段および回動手段は、前記表示装置用筐体の後端部に設けられ、係合突設部を有した係合部材と、前記係合部材の下方位置における前記制御装置用筐体に設けられており、前記制御装置用筐体の後面側から水平方向に形成されたスライド部と、前記所定位置で前記係合突設部が落ち込んで回動自在に係合するように凹形状に形成された回動支持部とを有したスライド支持部材と、前記係合突設部が当接するように前記係合部材の上方位置における前記制御装置用筐体に設けられたスライド当接部材とを有したスライド回動手段により構成されていることを特徴としている。
【００１３】
上記の構成によれば、スライド手段と回動手段とが、スライド回動手段の係合部材とスライド支持部材とスライド当接部材とで簡単に構成されるため、部品コストおよび組立コストを低減することができる。
【００１４】
請求項３の発明は、請求項２記載の表示装置であって、前記スライド当接部材の後端部は、前記係合部材の係合突設部を下方向に押さえつけるように形成されていることを特徴としている。
【００１５】
上記の構成によれば、表示装置用筐体の後端部に設けられた係合部材の係合突設部が、スライド当接部材の後端部において、制御装置用筐体に設けられたスライド当接部材により下方向に押さえつけられるため、表示装置用筐体と制御装置用筐体とを強固に固定することができる。
【００１８】
請求項４の発明は、請求項１ないし３の何れか１項に記載の表示装置であって、さらに、前記モニターユニットの後端部を回動中心として前面側を上昇させた倒立姿勢を保持する倒立姿勢保持手段を有しており、前記倒立姿勢保持手段は、前記制御装置用筐体の幅方向の一端側に回動自在に軸支され、前記倒立姿勢にされたときに、立設状態に回動させることにより前記モニターユニットの表示装置用筐体を支持するモニター支持部材と、前記表示装置用筐体に設けられており、前記モニター支持部材を係止すると共に一方の側面に当接する係止部材と、前記モニター支持部材の他方の側面に当接するように回動自在に付勢された当接板とを備えたロック機構とを有することを特徴としている。
【００１９】
上記の構成によれば、倒立姿勢を倒立姿勢保持手段により保持させることができるため、オペレータが両手を使って点検等の作業を行うことが可能になり、結果として一層良好な作業性を得ることができる。
【００２０】
請求項５の発明は、請求項４記載の表示装置であって、前記ロック機構は、前記制御ユニットの上面全体にモニターユニットが載置されたモニター姿勢となったときに、横設状態に回動された前記モニター支持部材を前記当接板で押圧することにより固定することを特徴としている。
【００２１】
上記の構成によれば、モニター支持部材の立設状態を保持する機能と、モニター支持部材の横設状態時にモニター支持部材の振動を防止する機能との２つの機能をロック機構に持たせることになるため、両機能に対応した専用機構をそれぞれ採用する場合よりも部品点数を減少させて部品コストおよび組立コストを低減することができる。
【００２２】
【発明の実施の形態】
本発明の実施の形態を図１ないし図７に基づいて以下に説明する。
本実施の形態に係る表示装置は、図１に示すように、表示装置用筐体５を備えたモニターユニット１と、オペレータにより操作される各種の操作スイッチ２ａを備えた操作ユニット２と、上面が開口された制御装置用筐体１４を備えた制御ユニット３とを有しており、図２（ａ）の制御ユニット３の上面全体にモニターユニット１を載置したモニター姿勢と、図２（ｂ）の制御ユニット３に対してモニターユニット１を前方にスライドさせたスライド姿勢と、図２（ｃ）のモニターユニット１の後端部を回動中心として前面側を上昇させるように回動させた倒立姿勢とを切り換え可能な構成にされている。
【００２３】
上記のモニターユニット１は、図３に示すように、ＣＲＴ装置等の表示装置４と、表示装置４を収容して保護する表示装置用筐体５とを有している。表示装置用筐体５は、表示装置４の表示面４ａが斜め上方を向くように表示装置４を傾斜させながら支持している。そして、表示装置用筐体５の上面壁５ａは、後述の制御ユニット３の点検や修理等の作業を表示装置の斜め前方側からでも容易に行うことができるように、前面壁５ｃ側から後面壁５ｄ側にかけて低くなるように傾斜されている。
【００２４】
また、表示装置用筐体５の前面壁５ｃには、図示しない透明パネルが表示装置４の表示面４ａに対向して設けられていると共に、透明パネルの下方位置に操作ユニット２が着脱可能に設けられている。さらに、表示装置用筐体５の底面壁５ｂには、図１にも示すように、ロック機構６が前面壁５ｃ側における幅方向の一端側に設けられていると共に、係合部材７が後面壁５ｄ側における幅方向の両端部に左右一対に設けられている。
【００２５】
上記の係合部材７は、表示装置用筐体５の底面壁５ｂに接合された接合部７ａと、接合部７ａの側面から突設された係合突設部７ｂとを有している。また、ロック機構６は、図６および図７に示すように、表示装置用筐体５の底面壁５ｂに形成された開口部５ｅを有している。開口部５ｅには、当接板９と係止部材１０とが設けられている。
【００２６】
上記の当接板９は、開口部５ｅよりも僅かに小さな形状に形成されており、ばね丁番８の一方の板部材８ｂに設けられている。ばね丁番８は、他方の板部材８ｂが底面壁５ｂの下面に固設されており、当接板９を開口部５ｅに挿通させる位置でモニター支持部材１１の他方の側面に当接するように下方向（矢符方向）に付勢しながら回動自在に支持している。一方、係止部材１０は、モニター支持部材１１の一方の側面に当接するように、開口部５ｅから底面壁５ｂの下面側（表示装置用筐体５の外部側）に垂下された当接部１０ａと、モニター支持部材１１を前後方向に係止するように当接部１０ａの下端で他端側方向に突設された突設部１０ｂとを有している。
【００２７】
また、モニター支持部材１１は、上述の突設部１０ｂが挿通される貫通穴１１ａを自由端側の一端部に有している。一方、モニター支持部材１１の他端部には、回動支持部材１２が設けられている。回動支持部材１２は、係合ピン１３に回動自在に軸支されており、係合ピン１３は、制御ユニット３の制御装置用筐体１４の一端側に設けられている。そして、このように構成されたロック機構６およびモニター支持部材１１は、図５にも示すように、モニターユニット１が倒立姿勢にされたときに、モニター支持部材１１を回動させて立設させ、先端部の貫通穴１１ａに係止部材１０の突設部１０ｂを挿通させると共に、係止部材１０の当接部１０ａと当接板９とをモニター支持部材１１の両側面に当接させることによって、モニター支持部材１１の回動を防止しながら、モニター支持部材１１によりモニターユニット１を支持して倒立姿勢を保持する倒立姿勢保持機構を構成している。
【００２８】
また、係合ピン１３が設けられた制御装置用筐体１４の内部には、図１に示すように、各種のデータ処理を行う制御装置１５と、制御装置１５等に電力を供給する電源装置１６とが前面側と後面側とにそれぞれ設けられている。制御装置１５は、図示しない複数の制御基板と、制御基板を保護する保護カバー１７とを有している。保護カバー１７の上面には、上述のモニター支持部材１１を着脱自在に嵌合する嵌合溝１７ａが形成されている。そして、この保護カバー１７の嵌合溝１７ａと上述のロック機構６とは、図３に示すように、モニターユニット１がモニター姿勢にされたときに、嵌合溝１７ａに嵌合されたモニター支持部材１１を上面側から当接板９で押圧することによって、モニター支持部材１１を固定するようになっている。
【００２９】
また、制御装置１５および電源装置１６の上方には、スライド回動機構２０が設けられている。スライド回動機構２０は、モニターユニット１を前後方向にスライド自在に支持するスライド機構の機能と、モニターユニット１を前方にスライドさせた所定位置でモニターユニット１の後端部が回動中心となるようにモニターユニット１を回動自在に支持する回動機構の機能とを備えている。
【００３０】
即ち、スライド回動機構２０は、図１に示すように、制御装置用筐体１４の両側面に左右一対に設けられており、上述の係合部材７と、係合部材７の下方に位置するように配置されたスライド支持部材１８と、係合部材７の上方に位置するように制御装置用筐体１４の上面に設けられたスライド当接部材２１とを有している。
【００３１】
上記のスライド支持部材１８は、図３に示すように、制御装置用筐体１４の後面側から水平方向に形成されたスライド部１８ａと、電源装置１６と保護カバー１７との間の所定位置で凹形状に形成された回動支持部１８ｂと、回動支持部１８ｂからスライド当接部材２１の近傍まで立ち上げられたスライド停止部１８ｃとを有している。また、スライド支持部材１８の上方に設けられたスライド当接部材２１は、後端部を後面側にかけて下方に傾斜させた傾斜部２１ａと、傾斜部２１ａの前方側において係合部材７を挿通させるように形成された切欠部２１ｂと、切欠部２１ｂの前方側において水平方向に形成された水平当接部２１ｃとを有している。そして、スライド当接部材２１の傾斜部２１ａは、モニターユニット１がモニター姿勢にされたときに、スライド支持部材１８のスライド部１８ａとで係合部材７の係合突設部７ｂを挟持することによりモニター姿勢を保持するようになっている。また、スライド当接部材２１の水平当接部２１ｃは、モニターユニット１が図４のスライド姿勢にされたときに、係合部材７の係合突設部７ｂに当接することによりスライド姿勢を保持するようになっている。
【００３２】
上記の構成において、表示装置の動作について説明する。尚、以下の説明おいては、表示装置を船舶に適用する場合について説明するが、これに限定されるものではなく、建屋や車両、航空機等に適用することもできる。
【００３３】
先ず、図１に示すように、操舵室等の船室内における所定の載置台上に制御装置用筐体１４を載置し、図示しないボルトにより固定する。この後、係合部材７をスライド当接部材２１の切欠部２１ｂを介してスライド支持部材１８とスライド当接部材２１との間に位置させることによって、表示装置用筐体５を制御装置用筐体１４に載置する。そして、図３に示すように、表示装置用筐体５を制御装置用筐体１４に対して後方にスライドさせることによって、係合部材７の係合突設部７ｂをスライド当接部材２１の傾斜部２１ａにより下方向に押さえつけ、表示装置用筐体５および制御装置用筐体１４の後面部同士を固定する。この後、表示装置用筐体５の前面壁５ｃと制御装置用筐体１４の前面壁とをボルト２２により締結する。
【００３４】
これにより、図２（ａ）にも示すように、モニターユニット１の前面側から後面側にかけた全体が制御ユニット３に固定されることによって、船体が大きく揺れたり、エンジンの振動が付与された場合でも、モニターユニット１が制御ユニット３から脱落することがないため、モニター姿勢を安定して維持することができる。また、このモニター姿勢においては、ロック機構６の当接板９がモニター支持部材１１を保護カバー１７の嵌合溝１７ａ方向に押圧することにより固定している。従って、モニター支持部材１１が揺れや振動で嵌合溝１７ａから脱落することがないため、モニター支持部材１１を確実に収容しておくことができる。
【００３５】
次に、制御ユニット３の後半領域（所定位置から後面までの領域）を点検等する場合には、図２（ｂ）に示すように、モニターユニット１を制御ユニット３に対して前方にスライドさせることによりスライド姿勢とする。
【００３６】
即ち、図４に示すように、ボルト２２を抜脱した後、表示装置用筐体５を制御装置用筐体１４に対して前方にスライドさせる。尚、このスライドは、表示装置用筐体５と共に移動する係合部材７の係合突設部７ｂがスライド支持部材１８のスライド停止部１８ｃに当接することによって、表示装置用筐体５が強制的に停止されるまでの範囲内で行うことができる。
【００３７】
また、スライド停止部１８ｃで停止されるまで表示装置用筐体５をスライドさせた場合には、スライド停止部１８ｃが制御装置用筐体１４のスライド方向の所定位置に配置されているため、表示装置用筐体５の後面壁５ｄが表示装置用筐体５の所定位置に存在するスライド姿勢となる。そして、この場合には、制御装置用筐体１４内における後半領域が開口を介して外部に露出するため、後半領域に搭載された各種機器を点検等することができる。特に、このスライド姿勢においては、後半領域に電源装置１６が設けられているため、電源装置１６に対する点検および交換を容易に行うことができる。
【００３８】
尚、スライド姿勢になると、表示装置４や操作ユニット２により表示装置用筐体５の重心が制御装置用筐体１４から外れた位置に存在することになる。従って、オペレータが表示装置用筐体５から手を離すと、表示装置用筐体５が制御装置用筐体１４の前端部を回動中心として傾倒しそうになるが、この場合には、係合部材７の係合突設部７ｂが表示装置用筐体５の上面に設けられたスライド当接部材２１に当接してスライド姿勢を維持するため、オペレータは両手を使って点検作業等を行うことができる。
【００３９】
さらに、制御ユニット３の前半領域（所定位置から前面での領域）を点検等する場合には、図２（ｃ）に示すように、スライド姿勢からモニターユニット１の後端部を回動中心として前面側を上昇させるように回動させることにより倒立姿勢とする。
【００４０】
即ち、図５に示すように、表示装置用筐体５の前面壁５ｃを持ち上げると、係合部材７の係合突設部７ｂがスライド支持部材１８の回動支持部１８ｂに落ち込んで回動自在に係合することによって、回動支持部１８ｂを回動中心として表示装置用筐体５を回動させることができる。そして、表示装置用筐体５が倒立姿勢となったときに、モニター支持部材１１を立設し、図７に示すように、当接板９を開口部５ｅ方向に押し込みながら、モニター支持部材１１の貫通穴１１ａに係止部材１０の突設部１０ｂを挿通させることによって、モニター支持部材１１により表示装置用筐体５を支持させる。
【００４１】
この後、当接板９の押し込みを解除することによって、当接板９をばね丁番８により矢符方向に回動させる。そして、図６にも示すように、当接板９と係止部材１０の当接部１０ａとをモニター支持部材１１の一方および他方の側面にそれぞれ当接させることによって、モニター支持部材１１が突設部１０ｂから脱落しないようにロック状態にする。これにより、表示装置は、図５に示すように、表示装置用筐体５の底面壁５ｂを上方に位置させた倒立姿勢となり、制御装置用筐体１４内における前半領域が外部に露出することによって、前半領域に搭載された各種機器を点検等することができる。特に、この倒立姿勢においては、前半領域に制御装置１５が設けられているため、制御装置１５に対する点検や交換、改良を容易に行うことができる。
【００４２】
この後、制御装置１５等の検査を終了すると、上述の手順とは逆の手順によって、モニター支持部材１１をロック機構６から抜脱して回動させ、保護カバー１７の嵌合溝１７ａに横設する。そして、図４に示すように、表示装置用筐体５の前面側を下降させるように回動させてスライド姿勢とした後、図３に示すように、表示装置用筐体５を後方にスライドさせることによりモニター姿勢とする。
【００４３】
以上のように、本実施形態の表示装置は、表示装置用筐体５を備えたモニターユニット１と、モニターユニット１を載置し、上面が開口された制御装置用筐体１４を備えた制御ユニット３とを有しており、モニターユニット１を制御ユニット３に対して前後方向にスライド自在に支持するスライド機構（スライド手段）と、モニターユニット１を前方にスライドさせた所定位置でモニターユニット１の後端部が回動中心となるように、モニターユニット１を回動自在に支持する回動機構（回動手段）とを有した構成にされている。
【００４４】
そして、上記のスライド機構および回動機構は、表示装置用筐体５の後端部に設けられ、係合突設部７ｂを有した係合部材７と、係合部材７の下方位置における制御装置用筐体１４に設けられており、制御装置用筐体１４の後面側から水平方向に形成されたスライド部１８ａと、所定位置で係合突設部７ｂが落ち込んで回動自在に係合するように凹形状に形成された回動支持部１８ｂとを有したスライド支持部材１８と、係合突設部７ｂが当接するように係合部材７の上方位置における制御装置用筐体１４に設けられたスライド当接部材２１とを有したスライド回動機構２０（スライド回動手段）により構成されている。
【００４５】
上記の構成によれば、モニターユニット１を制御ユニット３に対して所定位置まで前方にスライドさせたスライド姿勢にすることによって、制御装置用筐体１４の上面に形成された開口の後半部分を外部に露出することができる。従って、スライド姿勢にした場合には、制御装置用筐体１４の後半部分に対応する後半領域に収容された各種機器を開口を介して点検等することができる。
【００４６】
また、上記のスライド姿勢からモニターユニット１の前面側を上昇させるように回動させて倒立姿勢にすると、制御装置用筐体１４の開口の前半部分を外部に露出させることができる。従って、倒立姿勢にした場合には、制御装置用筐体１４の前半部分に対応する前半領域に収容された各種機器を開口を介して点検および修理等することができる。
【００４７】
これにより、従来のように制御装置用筐体１４を取り外す作業を行わなくても、表示装置用筐体５をスライドおよび回動させれば、制御装置用筐体１４に収容された各種機器を開口を介して取り扱うことができると共に、モニター画面を見ながら点検等することもできるため、良好な作業性でもって点検等を行うことができる。
【００４８】
また、上記のスライド姿勢や倒立姿勢は、制御装置用筐体１４の前方側の領域で表示装置用筐体５をスライドおよび回動させることにより行うことができる。そして、制御装置用筐体１４に収容された各種機器に対する点検等は、表示装置の前方側や斜め前方側から行うことができる。従って、各姿勢に変化させたり点検等を行う際に、従来のように表示装置の側方や後方に作業スペースを確保しておく必要がないため、建屋や車両、航空機等の室内の限られた空間を十分に有効利用することができる。
【００４９】
さらに、本実施形態においては、スライド機構および回動機構がスライド回動機構２０の係合部材７とスライド支持部材１８とスライド当接部材２１とで簡単に構成されるため、部品コストおよび組立コストを低減することができる。尚、スライド機構および回動機構は、本実施形態のスライド回動機構２０のようにスライド支持部材１８を共用しながら構成されていても良いし、各機構専用の部品でそれぞれ構成されていても良い。
【００５０】
また、本実施形態におけるスライド当接部材２１は、係合部材７の係合突設部７ｂを下方向に押さえつけるように後端部に傾斜部２１ａを有した構成にされている。尚、スライド当接部材２１の後端部は、係合突設部７ｂを挟持することができる形状であれば、凹湾曲形状等にされていても良い。そして、この構成によれば、表示装置用筐体５の後端部に設けられた係合部材７の係合突設部７ｂが、スライド当接部材２１の後端部において、制御装置用筐体１４に設けられたスライド当接部材２１により下方向に押さえつけられるため、表示装置用筐体５と制御装置用筐体１４とを強固に固定することができる。
【００５１】
また、本実施形態においては、制御ユニット３の制御装置用筐体１４に少なくとも制御装置１５と電源装置１６とが前後方向に配置して収容されており、これら制御装置１５と電源装置１６との間に所定位置が設定された構成にされている。尚、本実施形態においては、制御装置１５と電源装置１６とが前面側および後面側にそれぞれ配置されているが、逆順に配置されていても良い。
【００５２】
これにより、モニターユニット１の表示装置用筐体５を所定位置までスライドさせて回動させれば、スライド後に所定位置から後半領域に収容された制御装置１５または電源装置１６を完全に外部に露出させることができると共に、回動後に所定位置から前半領域に収容された制御装置１５または電源装置１６を完全に外部に露出させることができるため、制御装置１５および電源装置１６の取り換えを容易に行うことができる。
【００５３】
また、表示装置は、さらに、モニターユニット１の後端部を回動中心として前面側を上昇させた倒立姿勢を保持する倒立姿勢保持機構（倒立姿勢保持手段）を有しており、倒立姿勢保持機構は、制御装置用筐体１４の幅方向の一端側に回動自在に軸支され、倒立姿勢にされたときに、立設状態に回動させることによりモニターユニット１の表示装置用筐体５を支持するモニター支持部材１１と、表示装置用筐体５に設けられており、モニター支持部材１１を係止すると共に一方の側面に当接する係止部材１０と、モニター支持部材１１の他方の側面に当接するように回動自在に付勢された当接板９とを備えたロック機構６とを有した構成にされている。これにより、倒立姿勢を倒立姿勢保持機構により保持させることができるため、オペレータが両手を使って点検等の作業を行うことが可能になり、結果として一層良好な作業性を得ることができる。
【００５４】
さらに、上記のロック機構６は、制御ユニット３の上面全体にモニターユニット１が載置されたモニター姿勢となったときに、横設状態に回動されたモニター支持部材１１を当接板９で押圧することにより固定するように構成されている。これにより、モニター支持部材１１の立設状態を保持する機能と、モニター支持部材１１の横設状態時にモニター支持部材１１の振動を防止する機能との２つの機能をロック機構に持たせることになるため、両機能に対応した専用機構をそれぞれ採用する場合よりも部品点数を減少させて部品コストおよび組立コストを低減することができる。
【００５５】
【発明の効果】
請求項１の発明は、表示装置用筐体を備えたモニターユニットと、前記モニターユニットを載置し、上面が開口された制御装置用筐体を備えた制御ユニットとを有した表示装置であって、前記モニターユニットを前記制御ユニットに対して前後方向にスライド自在に支持するスライド手段と、前記モニターユニットを前方にスライドさせた所定位置で該モニターユニットの後端部が回動中心となるように、該モニターユニットを回動自在に支持する回動手段とを有し、前記制御ユニットの制御装置用筐体には、少なくとも制御装置と電源装置とが前後方向に配置して収容されており、これら制御装置と電源装置との間に前記所定位置が設定されている構成である。
【００５６】
上記の構成によれば、モニターユニットを制御ユニットに対して所定位置まで前方にスライドさせたスライド姿勢にすることによって、制御装置用筐体の上面に形成された開口の後半部分を外部に露出することができる。従って、スライド姿勢にした場合には、制御装置用筐体の後半部分に対応する後半領域に収容された各種機器を開口を介して点検等することができる。また、上記のスライド姿勢からモニターユニットの前面側を上昇させるように回動させて倒立姿勢にすると、制御装置用筐体の開口の前半部分を外部に露出させることができる。従って、倒立姿勢にした場合には、制御装置用筐体の前半部分に対応する前半領域に収容された各種機器を開口を介して点検および修理等することができる。これにより、従来のように制御装置用筐体を取り外す作業を行わなくても、表示装置用筐体をスライドおよび回動させれば、制御装置用筐体に収容された各種機器を開口を介して取り扱うことができると共に、モニター画面を見ながら点検等することができるため、良好な作業性でもって点検等を行うことができる。
【００５７】
また、上記のスライド姿勢や倒立姿勢は、制御装置用筐体の前方側の領域で表示装置用筐体をスライドおよび回動させることにより行うことができる。そして、制御装置用筐体に収容された各種機器に対する点検等は、表示装置の前方側や斜め前方側から行うことができる。従って、各姿勢に変化させたり点検等を行う際に、従来のように表示装置の側方や後方に作業スペースを確保しておく必要がないため、室内の限られた空間を十分に有効利用することができるという効果を奏する。また、モニターユニットの表示装置用筐体を所定位置までスライドさせて回動させれば、スライド後に所定位置から後半領域に収容された制御装置または電源装置を完全に外部に露出させることができると共に、回動後に所定位置から前半領域に収容された制御装置または電源装置を完全に外部に露出させることができるため、制御装置および電源装置の取り換えを容易に行うことができるという効果を奏する。
【００５８】
請求項２の発明は、請求項１記載の表示装置であって、前記スライド手段および回動手段は、前記表示装置用筐体の後端部に設けられ、係合突設部を有した係合部材と、前記係合部材の下方位置における前記制御装置用筐体に設けられており、前記制御装置用筐体の後面側から水平方向に形成されたスライド部と、前記所定位置で前記係合突設部が落ち込んで回動自在に係合するように凹形状に形成された回動支持部とを有したスライド支持部材と、前記係合突設部が当接するように前記係合部材の上方位置における前記制御装置用筐体に設けられたスライド当接部材とを有したスライド回動手段により構成されている。
【００５９】
上記の構成によれば、スライド手段と回動手段とが、スライド回動手段の係合部材とスライド支持部材とスライド当接部材とで簡単に構成されるため、部品コストおよび組立コストを低減することができるという効果を奏する。
【００６０】
請求項３の発明は、請求項２記載の表示装置であって、前記スライド当接部材の後端部は、前記係合部材の係合突設部を下方向に押さえつけるように形成されている構成である。
【００６１】
上記の構成によれば、表示装置用筐体の後端部に設けられた係合部材の係合突設部が、スライド当接部材の後端部において、制御装置用筐体に設けられたスライド当接部材により下方向に押さえつけられるため、表示装置用筐体と制御装置用筐体とを強固に固定することができるという効果を奏する。
【００６４】
請求項４の発明は、請求項１ないし３の何れか１項に記載の表示装置であって、さらに、前記モニターユニットの後端部を回動中心として前面側を上昇させた倒立姿勢を保持する倒立姿勢保持手段を有しており、前記倒立姿勢保持手段は、前記制御装置用筐体の幅方向の一端側に回動自在に軸支され、前記倒立姿勢にされたときに、立設状態に回動させることにより前記モニターユニットの表示装置用筐体を支持するモニター支持部材と、前記表示装置用筐体に設けられており、前記モニター支持部材を係止すると共に一方の側面に当接する係止部材と、前記モニター支持部材の他方の側面に当接するように回動自在に付勢された当接板とを備えたロック機構とを有する構成である。
【００６５】
上記の構成によれば、倒立姿勢を倒立姿勢保持手段により保持させることができるため、オペレータが両手を使って点検等の作業を行うことが可能になり、結果として一層良好な作業性を得ることができるという効果を奏する。
【００６６】
請求項５の発明は、請求項４記載の表示装置であって、前記ロック機構は、前記制御ユニットの上面全体にモニターユニットが載置されたモニター姿勢となったときに、横設状態に回動された前記モニター支持部材を前記当接板で押圧することにより固定する構成である。
【００６７】
上記の構成によれば、モニター支持部材の立設状態を保持する機能と、モニター支持部材の横設状態時にモニター支持部材の振動を防止する機能との２つの機能をロック機構に持たせることになるため、両機能に対応した専用機構をそれぞれ採用する場合よりも部品点数を減少させて部品コストおよび組立コストを低減することができるという効果を奏する。
【図面の簡単な説明】
【図１】表示装置が組み立てられる状態を示す説明図である。
【図２】表示装置の各姿勢を示す説明図であり、（ａ）はモニター姿勢、（ｂ）はスライド姿勢、（ｃ）は倒立姿勢である。
【図３】モニター姿勢を示す説明図である。
【図４】スライド姿勢を示す説明図である。
【図５】倒立姿勢を示す説明図である。
【図６】倒立姿勢を正面視した説明図である。
【図７】ロック機構の概略構成図である。
【図８】従来の表示装置を示すものであり、（ａ）は正面図、（ｂ）は側面図である。
【符号の説明】
１  モニターユニット
２  操作ユニット
３  制御ユニット
４  表示装置
５  表示装置用筐体
６  ロック機構
７  係合部材
８  ばね丁番
９  当接板
１０  係止部材
１１  モニター支持部材
１２  回動支持部材
１３  係合ピン
１４  制御装置用筐体
１５  制御装置
１６  電源装置
１７  保護カバー
１８  スライド支持部材
１９  取付部材
２０  スライド回動機構
２１  スライド当接部材
２２  ボルト
【図１】
0004108207.tif 000002
【図２】
0004108207.tif 000003
【図３】
0004108207.tif 000004
【図４】
0004108207.tif 000005
【図５】
0004108207.tif 000006
【図６】
0004108207.tif 000007
【図７】
0004108207.tif 000008
【図８】
0004108207.tif 000009